(57)【要約】【課題】  複数の情報処理装置を収納するラック筐体内で配線の数を少なくする。【解決手段】切替部２０４は、複数の情報処理装置１０の中で、どの情報処理装置１０と入出力を行うかを選択する機能を有する。キーボード装置２から入力された情報は、選択している情報処理装置１０の属性を付加して変復調部２０７が電力線通信可能な信号に変調し、電力線ｇを介して出力する。情報処理装置１０は、受信した信号を変復調部１０７で復調し、復調されたデータが自身への送出データであると判断した場合には情報処理部１０４に送出して所定の情報処理をさせる。その処理結果は、変復調部１０７に自身の情報処理装置１０の属性情報を付加して電力線通信可能な信号に変調させ、分電盤３０を介して入出力切替装置２０に送出する。切替部２０４が選択している情報処理装置１０であれば、表示装置４からその処理結果が出力される。【選択図】  図６
2006309423.tif 000002
【特許請求の範囲】
【請求項１】
ＡＣ商用電源と接続可能な分電盤と、
前記分電盤と電力線を通じて接続することで駆動可能な入出力切替装置と、
前記分電盤と電力線を通じて接続することで駆動可能な複数の情報処理装置と
を備えた入出力切替システムであって、
前記入出力切替装置は、
入力装置と接続する入力接続部、及び出力装置と接続する出力接続部とを有し、前記複数の情報処理装置の内、前記入力装置及び前記出力装置と入出力を行う情報処理装置を選択する切替手段と、
前記入力接続部により接続された前記入力装置より入力された情報に対して、前記切替部により選択された前記情報処理装置の属性を付加し電力線通信可能な信号に変調して前記電力線により送信する変調機能、及び前記電力線から受信した信号を復調した情報が前記切替手段により選択された前記情報処理装置への情報である場合には、この情報を前記出力接続部に接続された出力装置に出力する復調機能とを有する第１の変復調手段とを有し、
前記情報処理装置は、
入力情報を元に所定の処理を行う情報処理手段と、
前記電力線から受信した信号を復調する復調機能と、この復調機能により復調された情報が自装置への情報である場合にはこの情報を元に前記情報処理手段により処理した結果の情報に対して自装置の属性を付加し電力線通信可能な信号に変調して前記電力線により送信する変調機能とを有する第２の変復調手段と、
を有したことを特長とする入出力切替システム。
【請求項２】
ＡＣ商用電源と接続可能な分電盤と電力線を通じて接続することで駆動可能な入出力切替装置であって、
入力装置と接続する入力接続部、及び出力装置と接続する出力接続部とを有し、前記複数の情報処理装置の内、前記入力装置及び前記出力装置と入出力を行う情報処理装置を選択する切替手段と、
前記入力接続部により接続された前記入力装置より入力された情報に対して、前記切替部により選択された前記情報処理装置の属性を付加し電力線通信可能な信号に変調して前記電力線により送信する変調機能、及び前記電力線から受信した信号を復調した情報が前記切替手段により選択された前記情報処理装置への情報である場合には、この情報を前記出力接続部に接続された出力装置に出力する復調機能とを有する変復調手段と、
を有することを特長とする入出力切替装置。
【請求項３】
ＡＣ商用電源と接続可能な分電盤と電力線を通じて接続することで駆動可能な情報処理装置であって、
入力情報を元に所定の処理を行う情報処理手段と、
前記電力線から受信した信号を復調する復調機能と、この復調機能により復調された情報が自装置への情報である場合にはこの情報を元に前記情報処理手段により処理した結果の情報に対して自装置の属性を付加し電力線通信可能な信号に変調して前記電力線により送信する変調機能とを有する変復調手段と、
を有することを特長とする情報処理装置。
【発明の詳細な説明】
【技術分野】
【０００１】
本発明は、入出力切替システムに係り、複数の情報処理装置の入出力の切り替えを可能とする入出力切り替えシステム及びこれに用いる入出力切替え装置、情報処理装置に関する。
【背景技術】
【０００２】
ラック型のサーバ装置のような複数の情報処理装置の入出力を管理する手法としては、マウスやキーボード等の入力装置、あるは、ＣＲＴのよう出力装置は、各情報処理装置ごとに設けることはせず、所定の入出力切替え装置を用いて切り替えを行うことで任意の情報処理装置に対して入力装置、出力装置からデータや処理結果の入出力を行うことが一般化されている。
【０００３】
このような構成に対してマウス操作又はキーボードによる通常のカーソル移動のみで、使用する画面を自動的に切り替える手法が提案されている（例えば特許文献１参照）。
【特許文献１】特開平１１−３１０６４（第６頁、図１）
【発明の開示】
【発明が解決しようとする課題】
【０００４】
しかし、特許文献１の技術においては、複数の情報処理装置と入出力切替器とを信号線で接続する必要がある。このため、複数の情報処理装置を収納できるラック筐体内においては配線が多くなり、収納する情報処理装置の数にあった入出力切替器が必要になったり、収納する情報処理装置の数だけ入出力の配線作業が必要になる。更には特定の配線に接続された情報処理装置の判別が困難といった問題点があった。
【０００５】
そこで、本発明は上記の問題を解決するためになされたものであり、電力線通信を用いることにより、複数の情報処理装置を収納するラック筐体内で配線の数を少なくする入出力切替システム、及びこれに用いる入出力切替装置、情報処理装置を提供することを目的とする。
【課題を解決するための手段】
【０００６】
上記目的を達成するために、本発明の入出力切替システムは、ＡＣ商用電源と接続可能な分電盤と、前記分電盤と電力線を通じて接続することで駆動可能な入出力切替装置と、前記分電盤と電力線を通じて接続することで駆動可能な複数の情報処理装置とを備えた入出力切替システムであって、前記入出力切替装置は、入力装置と接続する入力接続部、及び出力装置と接続する出力接続部とを有し、前記複数の情報処理装置の内、前記入力装置及び前記出力装置と入出力を行う情報処理装置を選択する切替手段と、前記入力接続部により接続された前記入力装置より入力された情報に対して、前記切替部により選択された前記情報処理装置の属性を付加し電力線通信可能な信号に変調して前記電力線により送信する変調機能、及び前記電力線から受信した信号を復調した情報が前記切替手段により選択された前記情報処理装置への情報である場合には、この情報を前記出力接続部に接続された出力装置に出力する復調機能とを有する第１の変復調手段とを有し、前記情報処理装置は、入力情報を元に所定の処理を行う情報処理手段と、前記電力線から受信した信号を復調する復調機能と、この復調機能により復調された情報が自装置への情報である場合にはこの情報を元に前記情報処理手段により処理した結果の情報に対して自装置の属性を付加し電力線通信可能な信号に変調して前記電力線により送信する変調機能とを有する第２の変復調手段とを有したことを特長としている。
【０００７】
また、本発明に係る入出力切替装置は、ＡＣ商用電源と接続可能な分電盤と電力線を通じて接続することで駆動可能な入出力切替装置であって、入力装置と接続する入力接続部、及び出力装置と接続する出力接続部とを有し、前記複数の情報処理装置の内、前記入力装置及び前記出力装置と入出力を行う情報処理装置を選択する切替手段と、前記入力接続部により接続された前記入力装置より入力された情報に対して、前記切替部により選択された前記情報処理装置の属性を付加し電力線通信可能な信号に変調して前記電力線により送信する変調機能、及び前記電力線から受信した信号を復調した情報が前記切替手段により選択された前記情報処理装置への情報である場合には、この情報を前記出力接続部に接続された出力装置に出力する復調機能とを有する変復調手段とを有することを特長としている。
【０００８】
更に本発明に係る情報処理装置は、ＡＣ商用電源と接続可能な分電盤と電力線を通じて接続することで駆動可能な情報処理装置であって、入力情報を元に所定の処理を行う情報処理手段と、前記電力線から受信した信号を復調する復調機能と、この復調機能により復調された情報が自装置への情報である場合にはこの情報を元に前記情報処理手段により処理した結果の情報に対して自装置の属性を付加し電力線通信可能な信号に変調して前記電力線により送信する変調機能とを有する変復調手段とを有することを特長としている。
【発明の効果】
【０００９】
複数の情報処理装置を収納するラック筐体内で配線の数を少なくする。
【発明を実施するための最良の形態】
【００１０】
以下、図面を参照しながら本発明の実施の形態を説明する。図１は、本発明の実施の形態の係る入出力切替システムの構成を示した図である。この入出力切替システム１は、複数の情報処理装置１０と、入出力切替装置２０と、分電盤３０と、フィルタ４０とを主たる構成要素としており、これらはラック筐体Ｒに収納されている。また、情報処理装置１０及び入出力切替装置２０は、分電盤３０と電力線ｇで接続されている。更に、分電盤３０とフィルタ４０も電力線ｇで接続されている。
【００１１】
情報処理装置１０は、入出力切替装置２０からのデータや命令の入力により所定の処理を行い結果を出力する。
【００１２】
入出力切替装置２０は、後述する入力装置であるキーボード装置２及びマウス装置３、出力装置である表示装置４等の入出力装置（不図示）が複数の情報処理装置１０のいずれとデータや命令の入出力を行うかの切り替えを行う。
【００１３】
分電盤３０は、電力線ｇを介して情報処理装置１０及び入出力切替装置２０に対して電力を供給する他、後述するように情報処理装置１０と入出力切替装置２０との間で電力線通信を行う。
【００１４】
フィルタ４０は、外部のＡＣ商用電源と接続することにより分電盤３０に対して電力を供給する他、電力線通信する為に使用される所定の周波数の信号を入出力切替システム１の外部に漏洩しないように遮断する。
【００１５】
次に、情報処理装置１０の機能を図２及び図３を用いて説明する。図２は、情報処理装置１０の内部構成を示した図である。
【００１６】
図２に示すように、情報処理装置１０は、情報処理部１０４と、電源部１０５と、電源接続部１０６と、変復調部１０７とを主たる構成要素とする。ここで、情報処理部１０４は、電源部１０５と変復調部１０７とに接続している。また、変復調部１０７は、電源部１０５及び電源接続部１０６とも接続している。
【００１７】
情報処理部１０４は、変復調部１０７から受信したデータや命令に対して所定の処理を行い、結果を変復調部１０７を介して出力する。
【００１８】
電源接続部１０６は、電力供給と、電力線通信の双方の役割を果たす。即ち、電源接続部１０６は電力線ｇを介して分電盤３０と接続されている為、情報処理装置１０に対して電力を供給する他、分電盤３０から受信した信号を変復調部１０７に送出したり、逆に変復調部１０７から受信した信号を電力線ｇを介して分電盤３０に送出する。
【００１９】
変復調部１０７は、変調及び復調の機能を有する。即ち、情報処理部１０４から受信したデータに自身の装置の属性情報を付加した上で、電力線通信を行うために所定の周波数に変調した信号（変調信号）を生成し、電源接続部１０６に送出する。また、電源接続部１０６から受信した変調信号を復調して情報処理装置１０の属性情報が付加されたデータとする。そして、この復調されたデータの中に自装置へ送出した旨の情報（自装置の属性情報）が含まれていると判断した場合には情報処理部１０４に送出する。
【００２０】
上述した処理の流れを図３を用いて説明する。図３は、情報処理装置１０の処理内容を示すフローチャートである。
【００２１】
まず、情報処理装置１０は、変復調部１０７が変調信号を受信することでその後の処理を開始する（ステップＳ１０）。即ち、変復調部１０７が電力線ｇを介して電源接続部１０６から変調信号を受信していない場合には（ステップＳ１０のＮｏ）、これを受信するまで後述の処理を行わない。
【００２２】
一方、変復調部１０７が電力線ｇを介して電源接続部１０６から変調信号を受信した場合には（ステップＳ１０のＹｅｓ）、変復調部１０７は受信した変調信号を復調し、所定のデータとする（ステップＳ１１）。
【００２３】
次に、変復調部１０７は、復調されたデータの中に自装置への送出を示す情報（自装置の属性情報）が含まれているか否かを判断する（ステップＳ１２）。その結果、変復調部１０７は復調されたデータの中に自装置への送出を示す情報が含まれていると判断した場合には（ステップＳ１２のＹｅｓ）当該データを情報処理部１０４へ送出する（ステップＳ１３）。
【００２４】
次に、情報処理部１０４は変復調部１０７から受信したデータを元に所定の処理い、その算出の結果（算出情報Ｖ）を変復調部１０７へ送出する（ステップＳ１４）。
【００２５】
次に、変復調部１０７は受信した算出情報Ｖに自装置の属性を付加する（ステップＳ１５）。
【００２６】
そして、このデータと電力線通信が可能な所定の周波数領域に変調した信号（変調信号）を生成し（ステップＳ１６）、電源接続部１０６を介して外部に送出して（ステップＳ１７）本処理を終了する。
【００２７】
一方、ステップＳ１２において、変復調部１０７は復調されたデータの中に自装置への送出を示す情報が含まれていないと判断した場合には（ステップＳ１２のＮｏ）当該データを破棄して（ステップＳ１８）情報処理装置１０の処理を終了する。
【００２８】
次に、入出力切替装置２０の機能を図４及び図５を用いて説明する。説明する。図４は、入出力切替装置２０の内部構成を示した図である。
【００２９】
入出力切替装置２０は、キーボード装置接続部２０１と、マウス装置接続部２０２と、表示装置接続部２０３と、切替部２０４と、電源部２０５と、電源接続部２０６と、変復調部２０７とを主たる構成要素とする。ここで、切替部２０４は、キーボード装置接続部２０１と、マウス装置接続部２０２と、表示装置接続部２０３と、電源部２０５と、変復調部２０７とに接続している。また、変復調部２０７は、電源部２０５及び電源接続部２０６とも接続している。
【００３０】
ここで、キーボード装置接続部２０１は入力装置であるキーボード装置２と接続する接続部であり、マウス装置接続部２０２は入力装置であるマウス装置３と接続する接続部であり、表示装置接続部２０３は出力装置である表示装置４と接続する接続部である。
【００３１】
切替部２０４は、例えばキーボード装置２またはマウス装置３によりユーザが入出力を希望する情報処理装置１０の情報を切替部２０４を経由して変復調部２０７に送出する。
【００３２】
尚、電源部２０５から電力供給を受けて動作する。また、切替部２０４は、変復調部２０７から受信した情報を表示装置接続部２０３に出力結果を送出する。
【００３３】
電源接続部２０６は、電力供給と、電力線通信の双方の役割を果たす。即ち、電源接続部２０６は電力線ｇを介して分電盤３０と接続されている為、入出力切替装置２０に対して電力を供給する他、分電盤３０から受信した信号を変復調部２０７に送出したり、逆に変復調部２０７から受信した信号を電力線ｇを介して分電盤３０に送出する。
【００３４】
変復調部２０７は、変調及び復調の機能を有する。即ち、切替部２０４から受信した情報に切替部２０４が選択している情報処理装置１０の属性情報を付加した上で変調した信号（変調信号）を生成し、電源接続部２０６に送出する。また、電源接続部２０６から受信した変調信号を復調し、自身が選択している情報処理装置１０からの情報である際には切替部２０４に送出する。
【００３５】
上述した処理の流れを図５を用いて説明する。図５は、入出力切替装置２０の処理内容を示すフローチャートである。
【００３６】
まず、切替部２０４はデータを受信したか否かを判断する（ステップＳ２０）。即ち、切替部２０４は、キーボード装置接続部２０１又はマウス装置接続部２０２からデータ又は命令を受信したか否かを判断する。
【００３７】
その結果、切替部２０４が、キーボード装置接続部２０１又はマウス装置接続部２０２からデータ又は命令（以下、単に「データ」とも言う。）を受信した場合には（ステップＳ２０のＹｅｓ）、切替部２０４は、そのデータを変復調部２０７に送出する（ステップＳ２１）。
【００３８】
変復調部２０７は、受信したデータに選択している情報処理装置１０の属性情報を付加する（ステップＳ２２）。即ち、変復調部２０７は、切替部２０４からデータを受信すると、この切替部２０４からユーザが選択している情報処理装置１０の情報を受信し、前述した受信したデータにこの選択している情報処理装置１０の属性を付加する。
【００３９】
次に、変復調部２０７は情報処理装置１０が付加されたデータを電力線通信が可能な所定の周波数領域に変調した信号（変調信号）を生成する（ステップ２３）。
【００４０】
そして、電源接続部２０６を介して外部に送出して（ステップＳ２４）本処理を終了する。
【００４１】
一方、ステップＳ２０において、切替部２０４がデータを受信していない場合には（ステップＳ２０のＮｏ）、次に変復調部２０７が電力線ｇを介して電源接続部２０６から変調信号を受信したか否かを判断する（ステップＳ２５）。
【００４２】
その結果、変復調部２０７が電力線ｇを介して電源接続部２０６から変調信号を受信していない場合には（ステップＳ２５のＮｏ）、ステップＳ２１に戻り、上述した処理を繰り返すこととなる。
【００４３】
一方、変復調部２０７が電力線ｇを介して電源接続部２０６から変調信号を受信した場合には（ステップＳ２５のＹｅｓ）、変復調部２０７は受信した変調信号を復調し、所定のデータとする（ステップＳ２６）。
【００４４】
次に、変復調部２０７は、復調されたデータの中にユーザによって選択された情報処理装置１０の属性情報が含まれているか否かを判断する（ステップＳ２７）。その結果、変復調部２０７は復調されたデータがユーザが選択している情報処理装置１０の属性情報が含まれていると判断した場合には（ステップＳ２７のＹｅｓ）当該データから情報処理装置の属性部分を除いたデータを切替部２０４へ送出し（ステップＳ２８）、本処理を終了する。これにより、データを受信した切替部２０４は、入出力切替装置２０が電源接続部２０６から受信したデータを表示装置４から出力することとなる。
【００４５】
一方、ステップＳ２７において、変復調部２０７は復調されたデータの中にユーザが選択した情報処理装置１０の属性情報が含まれていないと判断した場合には（ステップＳ２７のＮｏ）当該データを破棄して（ステップＳ２９）情報処理装置１０の処理を終了する。
【００４６】
次に、本発明の実施の形態に係る入出力切替システムの処理の流れを図６及び図７を用いて説明する。図６は入出力切替システム１の一実施形態を示した図であり、図７は本発明の実施の形態に係る入出力切替システムのデータの流れを示す図である。図６に示した入出力切替システム１は、２台の情報処理装置（情報処理装置１０ａ、情報処理装置１０ｂ）と、キーボード装置２とマウス装置３と表示装置４とが接続された入出力切替装置２０と、これらが接続される分電盤３０と、分電盤３０に接続されるフィルタ４０とから構成されている。尚、図６においてはラック筐体Ｒは不図示としている。
【００４７】
上述した図６において、入出力切替装置２０は、ユーザは、キーボード装置２又はマウス装置３からの入力により情報処理装置１０ａと接続するように選択を行い、切替部２０４は情報処理装置１０ａを選択しているものとする。
【００４８】
＜入出力切替装置２０がキーボード装置２等から入力されたデータを情報処理装置１０ａと情報処理装置１０ｂが受信する場合＞
キーボード装置２からの入力情報（情報ｋ）およびマウス装置３からの入力情報（情報ｍ）が、入出力切替装置２０に入力されると（ステップＳ２０のＹｅｓ）、切替部２０４は、受信した情報ｋ及び情報ｍを変復調部２０７に送出する（ステップＳ２１）。
【００４９】
変復調部２０７では、情報ｋと情報ｍの受信の際に、切替部２０４から現状選択されている情報処理装置１０の属性情報（属性Ｚ）をも受信する。
【００５０】
変復調部２０７は、受信した情報ｋ及び情報ｍに属性Ｚを付加し（ステップＳ２２）、更に変復調部２０７はこの属性Ｚが付加されたデータを電力線通信が可能な所定の周波数に変調して、信号ｋ＋ａ，信号ｍ＋ａを生成し、電源接続部２０６に送出する（ステップＳ２３）。
【００５１】
電源接続部２０６は受信した信号を電力線ｇを介して分電盤３０に電力線送信する（ステップＳ２４）。
【００５２】
次に、分電盤３０は、入出力切替装置２０から受信した信号（信号ｋ＋ａ，信号ｍ＋ａ）を分電盤３０と接続している装置に電力線ｇを介して送出することとなる。但し、フィルタ４０があるために、入出力切替システム１外にこの信号が送出されることはない。
【００５３】
従って、信号ｋ＋ａ及び信号ｍ＋ａは、情報処理装置１０ａと情報処理装置１０ｂに送出されることとなる。
【００５４】
情報処理装置１０ａでは、変復調部１０７ａにおいて、電力線ｇから受信した信号ｋ＋ａ、信号ｍ＋ａを受信すると（ステップＳ１０のＹｅｓ）、この信号を復調し（ステップＳ１１）、復調したデータが自装置へのデータであるか否かを情報処理装置１０ａの属性があるか否かで判断する（ステップＳ１２）。
【００５５】
ここでは、復調した情報の中に自装置を示す情報処理装置１０ａの属性情報が含まれている為（ステップＳ１２のＹｅｓ）、変復調部１０７ａは、情報処理部１０４ａに復調した情報（情報ｋ，情報ｍ）を送出する（ステップＳ１３）。
【００５６】
一方、情報処理装置１０ｂにおいても、変復調部１０７ｂにおいて、電力線ｇから受信した信号ｋ＋ａ、信号ｍ＋ａを受信すると（ステップＳ１０のＹｅｓ）、この信号を復調し（ステップＳ１１）、復調したデータが自装置へのデータであるか否かを情報処理装置１０ｂの属性情報があるか否かで判断する（ステップＳ１２）。
【００５７】
ここでは、復調した情報の中に自装置を示す情報処理装置１０ｂの属性情報が含まれていない為ステップＳ１２のＮｏ）、変復調部１０７ｂは、復調した情報（情報ｋ，情報ｍ）を情報処理部１０４ｂへは送出せず、そのまま破棄する（ステップＳ１８）。
【００５８】
さて、ステップＳ１３において、情報処理部１０４ａは、変復調部１０７ａから情報ｍ、情報ｋを受信すると、これらの情報を用いて所定の情報処理を行う。この処理は、図示せぬ記憶部に記憶されたプログラムの指示に従って処理されその処理の結果として算出情報Ｖが算出され、変復調部１０７ａに送出される（ステップＳ１４）。
【００５９】
変復調部１０７ａでは、受信した算出情報Ｖに自装置の属性を示す情報である属性Ｚを付加し（ステップＳ１５）、更に変復調部１０７はこの属性Ｚが付加されたデータを電力線通信が可能な所定の周波数に変調して信号Ｖ＋ａを生成し（ステップＳ１６）、電源接続部１０６に送出する。
【００６０】
電源接続部１０６ａは、受信した信号Ｖ＋ａを電力線ｇを介して分電盤３０に送出する（ステップＳ１７）。
【００６１】
＜情報処理装置１０ａが処理した結果を入出力切替装置２０や情報処理装置１０ｂが受信する場合＞
次に、分電盤３０は、情報処理装置１０ａから受信した信号Ｖ＋ａを分電盤３０と接続している装置に電力線ｇを介して送出することとなる。但し、上述したようにフィルタ４０があるために、入出力切替システム１外にこの信号が送出されることはない。従って、信号Ｖ＋ａは、情報処理装置１０ｂと入出力切替装置２０に送出されることとなる。
【００６２】
入出力切替装置２０では、変復調部２０７において、電力線ｇから信号Ｖ＋ａを受信すると（ステップＳ２５のＹｅｓ）、この信号Ｖ＋ａを復調する（ステップＳ２６）。そして復調した信号が自装置が選択している情報処理装置からの信号であるか否かを判断する（ステップＳ２７）。
【００６３】
ここでは、復調した情報の中に選択している情報処理装置１０ａを示す情報がが含まれている為（ステップＳ２７のＹｅｓ）、変復調部２０７は、切替部２０４に復調した算出情報Ｖを送出する（ステップＳ２８）。
【００６４】
切替部２０４は受信した算出情報Ｖを表示装置接続部２０３を介して表示装置４に出力することとなる。
【００６５】
一方、情報処理装置１０ｂにおいても、変復調部１０７ｂにおいて、電力線ｇから信号Ｖ＋ａを受信すると（ステップＳ１０のＹｅｓ）、この信号Ｖ＋ａを復調する（ステップＳ１１）。そして復調した信号が自装置（情報処理装置１０ｂ）への情報であるか否かを判断する（ステップＳ１２）。ここでは、復調した情報の中に自装置を示す情報処理装置１０ｂの情報が含まれていない為（ステップＳ１２のＮｏ）、変復調部１０７ｂは、情報処理部１０４ｂに復調した算出情報Ｖを送出せず、そのまま破棄する（ステップＳ１８）。
【００６６】
ところで、上述した例では情報ｋや情報ｍは、情報処理装置１０ａを指定して情報処理装置１０ａ内で処理を行わせるものであり、その後、入出力切替装置２０での選択は情報処理装置１０ａのまま維持している場合であった。
【００６７】
しかし、キーボード装置２等からのデータ入力時は情報処理装置１０ａを選択しており、その後、情報処理装置１０ａの情報処理が終了するまでの間に、ユーザが入出力切替装置２０において情報処理装置１０ｂに切り替える場合も想定される。
【００６８】
この場合には、結局ステップＳ２７の判断でＮｏとなる為、情報処理装置１０ａが処理した得た算出情報Ｖは表示装置４からは出力されないこととなる。
【００６９】
以上のように、電力線通信を用いることにより、従来は、少なくとも情報処理装置１０ａと入出力切替装置２０とを接続する配線、更には情報処理装置１０ｂと入出力切替装置２０とを接続する配線があったがこれらの配線が不要となる。従って、複数の情報処理装置を収納するラック筐体内で配線の数を少なくする入出力切替システムの提供が可能となる。
【図面の簡単な説明】
【００７０】
【図１】本発明の実施の形態の係る入出力切替システムの構成を示した図。
【図２】情報処理装置１０の内部構成を示した図。
【図３】情報処理装置１０の処理内容を示すフローチャート。
【図４】入出力切替装置２０の内部構成を示した図。
【図５】入出力切替装置２０の処理内容を示すフローチャート。
【図６】入出力切替システム１の一実施形態を示した図。
【図７】本発明の実施の形態に係る入出力切替システムのデータの流れを示す図。
【符号の説明】
【００７１】
１０  情報処理装置
１０４  情報処理部
１０５  電源部
１０６  電源接続部
１０７  変復調部
２０  入出力切替装置
２０１  キーボード装置接続部
２０２  マウス装置接続部
２０３  表示装置接続部
２０４  切替部
２０５  電源部
２０６  電源接続部
２０７  変復調部
３０  分電盤
４０  フィルタ
Ｒ  ラック筐体
ｇ  電力線
ｋ，ｍ  情報
ｋ＋ａ，ｍ＋ｂ，Ｖ＋ａ  信号
Ｖ  算出情報
【図１】
2006309423.tif 000003
【図２】
2006309423.tif 000004
【図３】
2006309423.tif 000005
【図４】
2006309423.tif 000006
【図５】
2006309423.tif 000007
【図６】
2006309423.tif 000008
【図７】
2006309423.tif 000009